(57)【要約】【課題】磁気ヘッドの走査処理を安定化させる。【解決手段】プリンタ装置１０において、磁気ヘッド３８は、対象媒体を仕切板１８の下面に押し当てながら走査して磁気データの読み取り処理を実行する。そして、仕切板１８は、ゴム製であるか、それの下面がシボ加工されているか、又は、ゴム製であり且つそれの下面がシボ加工されている。また、磁気ヘッド３８は、対象媒体の端部を除く中央部を「走査開始点」とし、走査開始点から対象媒体の端部に向けて走査する。具体的には、磁気ヘッド３８は、ローラ３２，３４側から挿入口１４側に向けて走査する。【選択図】図２
2016042398.tif 000002
【特許請求の範囲】
【請求項１】
対象媒体に対して磁気データの読み取り処理を行って得られた情報に基づいて、前記対象媒体の種別を識別する媒体識別装置であって、
板状部材と、
前記対象媒体を前記板状部材に押し当てながら走査して前記読み取り処理を実行する磁気ヘッドと、
を具備し、
前記板状部材は、ゴム製であるか、前記対象媒体が押し当てられる面がシボ加工されているか、又は、ゴム製であり且つ前記面がシボ加工されている、
ことを特徴とする媒体識別装置。
【請求項２】
前記磁気ヘッドは、前記対象媒体の端部を除く中央部を走査開始点とし、前記走査開始点から前記端部に向けて走査する、
ことを特徴とする請求項１に記載の媒体識別装置。
【発明の詳細な説明】
【技術分野】
【０００１】
本発明は、媒体識別装置に関する。
【背景技術】
【０００２】
従来、金融機関等では、通帳、帳票、及び伝票等の「媒体」に印字するために、「プリンタ装置」が用いられている。プリンタ装置には、媒体挿入口が設けられている。そして、媒体挿入口から挿入れられた媒体は、プリンタ装置内部の媒体搬送路で印字部まで搬送されて、印字部による印字処理によって印字される。
【０００３】
また、従来のプリンタ装置の中には、通帳と帳票の様に異なる種類の媒体で、共通の媒体挿入口及び媒体搬送路が用いられるものがある。このようなプリンタ装置を以下では、「挿入口共用プリンタ」と呼ぶことがある。通帳の表面又は裏面には、通常、顧客データ並びに前回の印字処理時に最後に印字されたページ及び行等のデータが磁気的に記憶された磁気テープが張られている一方、帳票には、磁気テープは設けられていない。そこで、挿入口共用プリンタでは、媒体挿入口から挿入され且つ「読み取り位置」で静止された対象媒体の表面に磁気読み取りユニットの「磁気（ＭＳ）ヘッド」を接触させた状態で、磁気ヘッドを対象媒体の表面に沿って移動させ（つまり、走査させ）、この走査によって読み取った情報に基づいて、媒体の種別を識別することがある。
【先行技術文献】
【特許文献】
【０００４】
【特許文献１】特開２０１１−３４６２５号公報
【発明の概要】
【発明が解決しようとする課題】
【０００５】
しかしながら、対象媒体に磁気ヘッドを接触させた状態で「走査処理」を行うと、対象媒体と磁気ヘッドとの間の摩擦力によって対象媒体が「読み取り位置」から走査方向に移動してしまい、「走査処理」を不安定化させる可能性がある。また、通帳に比べて座屈荷重の小さい帳票はこの移動によって座屈し、この座屈がジャムの発生確率を上げる要因となっている可能性がある。
【０００６】
開示の技術は、上記に鑑みてなされたものであって、磁気ヘッドの走査処理を安定化させることができる媒体識別装置を提供することを目的とする。
【課題を解決するための手段】
【０００７】
開示の態様では、媒体識別装置は、対象媒体に対して磁気データの読み取り処理を行って得られた情報に基づいて、前記対象媒体の種別を識別する。前記媒体識別装置は、板状部材と、前記対象媒体を前記板状部材に押し当てながら走査して前記読み取り処理を実行する磁気ヘッドとを具備する。前記板状部材は、ゴム製であるか、前記対象媒体が押し当てられる面がシボ加工されているか、又は、ゴム製であり且つ前記面がシボ加工されている。
【発明の効果】
【０００８】
開示の態様によれば、磁気ヘッドの走査処理を安定化させることができる。
【図面の簡単な説明】
【０００９】
【図１】図１は、一実施例の媒体識別装置を含むプリンタ装置の一例を示す外観構成図である。
【図２】図２は、一実施例の媒体識別装置を含むプリンタ装置の内部構成の概略を示す図である。
【図３】図３は、一実施例の媒体識別装置を含むプリンタ装置の処理動作の一例を示すフローチャートである。
【図４】図４は、一実施例の媒体識別装置を含むプリンタ装置の処理動作の説明に供する図である。
【図５】図５は、一実施例の媒体識別装置を含むプリンタ装置の処理動作の説明に供する図である。
【図６】図６は、一実施例の媒体識別装置を含むプリンタ装置の処理動作の説明に供する図である。
【発明を実施するための形態】
【００１０】
以下に、本願の開示する媒体識別装置の実施形態を図面に基づいて詳細に説明する。なお、この実施形態により本願の開示する媒体識別装置が限定されるものではない。また、実施形態において同一の機能を有する構成には同一の符号を付し、重複する説明は省略される。
【００１１】
［プリンタ装置の構成例］
図１は、一実施例の媒体識別装置を含むプリンタ装置の一例を示す外観構成図である。図２は、一実施例の媒体識別装置を含むプリンタ装置の内部構成の概略を示す図である。
【００１２】
図１に示すように、プリンタ装置１０は、装置筐体１１を有する。また、図２に示すように、プリンタ装置１０は、インサータユニット１２と、リヤユニット１３とを有する。装置筐体１１の前面（つまり、インサータユニット１２の前面）には、通帳又は帳票が挿入される挿入口１４が設けられている。挿入口１４の下辺は、載置テーブル１６によって規定され、挿入口１４の上辺は、仕切板１８（板状部材）の下面によって規定されている。ここで、仕切板１８は、ゴム製であるか、それの下面がシボ加工されているか、又は、ゴム製であり且つそれの下面がシボ加工されている。
【００１３】
挿入口１４の上方には、仕切板１８を間に挟んで、挿入口２０が設けられている。挿入口２０は、伝票が挿入される。挿入口２０の下辺は、仕切板１８の上面である載置テーブル２２によって規定される。以下では、挿入口１４を「共用挿入口」又は「第１の挿入口」と呼び、挿入口２０を「第２の挿入口」と呼ぶことがある。
【００１４】
また、インサータユニット１２において、挿入口２０から後方斜め下に向けて、媒体搬送路２４が設けられている。媒体搬送路２４を挟んだ上下には、ローラ２８，３０がそれぞれ設けられている。挿入口２０から挿入された伝票の先端部がローラ２８とローラ３０との間に挟まれ、ローラ２８及びローラ３０が正回転することにより、伝票は、媒体搬送路２４を通ってリヤユニット１３へ搬送される。すなわち、ローラ２８及びローラ３０は、「第２の搬送部」に含まれている。また、ローラ２８及びローラ３０が逆回転することにより、リヤユニット１３からインサータユニット１２に渡された伝票を挿入口２０から排出することができる。
【００１５】
また、インサータユニット１２において、挿入口１４から後方に向けて、媒体搬送路２６が設けられている。媒体搬送路２６を挟んだ上下には、ローラ３２，３４がそれぞれ設けられている。挿入口１４から挿入された通帳又は帳票は、ローラ３２とローラ３４との間に挟まれ、ローラ３２及びローラ３４が正回転することにより、まず、インサータユニット１２の後方に向けて「読み取り位置」まで引き込まれる。「読み取り位置」まで引き込まれた通帳又は帳票の先端部は、ローラ３２とローラ３４との間に挟まれた状態で保持されている。
【００１６】
また、インサータユニット１２において、ローラ３２，３４の前方で且つ媒体搬送路２６の下側には、磁気ヘッド３８を含む磁気読み取りユニット３６が設けられている。また、磁気ヘッド３８は、仕切板１８の下面と対向する位置に設けられている。磁気ヘッド３８は、通帳又は帳票が「読み取り位置」まで引き込まれると、対象媒体（通帳又は帳票）を下から仕切板１８の下面に押し付けながら「走査予定領域」を移動して、対象媒体を走査する、つまり、「読み取り処理」を実行する。ここで、上記のように、仕切板１８は、ゴム製であるか、それの下面がシボ加工されているか、又は、ゴム製であり且つそれの下面がシボ加工されていることにより、摩擦係数が大きくされているので、仕切板１８の下面と当該下面に押し付けられる対象媒体との密着度を高くすることができる。すなわち、仕切板１８の下面と対象媒体との間の摩擦力が、対象媒体と磁気ヘッド３８の上面との摩擦力よりも大きくなっている。このため、走査処理時に対象媒体が読み取り位置からずれてしまうことを抑制することができるので、走査処理を安定化させることができる。また、対象媒体のズレを抑制できることから、対象媒体が座屈する可能性を低減でき、結果として、ジャムの発生確率を低減することができる。
【００１７】
また、磁気ヘッド３８は、対象媒体の端部を除く中央部を「走査開始点」とし、走査開始点から対象媒体の端部に向けて走査してもよい。好ましくは、磁気ヘッド３８は、ローラ３２，３４側（つまり、インサータユニット１２の奥の方（後ろ側））から、挿入口１４側に向けて走査する。これにより、先端部がローラ３２とローラ３４との間に挟持され且つ先端部と反対側の後端部がフリーである、対象媒体が張られる方向に、磁気ヘッド３８が移動するので、対象媒体がたるむことを防止でき、走査処理をさらに安定化させることができる。
【００１８】
走査処理によって得られた情報は、制御部（図示せず）へ出力される。制御部（図示せず）は、例えば、走査処理（つまり、磁気データの読み取り処理）によって得られた情報に基づいて、対象媒体（通帳又は帳票）の種別を識別する。すなわち、プリンタ装置１０は、磁気読み取りユニット３６、仕切板１８、及び制御部（図示せず）を含む媒体識別装置を含んでいる。例えば、走査処理によって磁気情報が得られた場合、制御部（図示せず）は、対象媒体が通帳であると判定し、磁気情報が得られなかった場合、制御部（図示せず）は、対象媒体が帳票であると判定する。
【００１９】
走査処理が終了すると、対象媒体は、ローラ３２及びローラ３４が正回転することにより、媒体搬送路２６を通ってリヤユニット１３へ搬送される。すなわち、ローラ３２及びローラ３４は、「第１の搬送部」に含まれている。また、ローラ３２及びローラ３４が逆回転することにより、リヤユニット１３からインサータユニット１２に渡された通帳又は帳票を挿入口１４から排出することができる。ここで、媒体搬送路２４と媒体搬送路２６との連結部には、媒体搬送路２４及び媒体搬送路２６とリヤユニット１３の処理搬送路４０との接続関係を切り替えるゲート（図示せず）が設けられている。これにより、媒体搬送路２４とリヤユニット１３とが接続されているタイミングで、媒体搬送部２６とリヤユニット１３とが接続されることを回避することができる。
【００２０】
また、リヤユニット１３は、ローラ４２，４４等の搬送路構成部品を含む「第３の搬送部」が設けられている。「第３の搬送部」には、ローラ４２，４４等の搬送路構成部品によって処理搬送路４０が形成されている。処理搬送路４０は、媒体搬送路２４と媒体搬送路２６との連結部に接続されている。
【００２１】
また、リヤユニット１３において、処理搬送路４０の上下には、ローラ４２，４４がそれぞれ設けられている。ローラ４２及びローラ４４のローラペアは、処理搬送路４０の全体に亘って複数個設けられている。インサータユニット１２からリヤユニット１３へ渡された媒体は、ローラ４２及びローラ４４が回転することにより、まず、「印字位置」まで引き込まれる。「印字位置」まで引き込まれた印字対象媒体は、ローラ４２とローラ４４との間に挟まれた状態で保持されている。
【００２２】
また、リヤユニット１３において、処理搬送路４０の上側に、印字ヘッド４６が設けられている。そして、処理搬送路４０の下側で印字ヘッド４６と対向する位置に、プラテン４８が設けられている。プラテン４８は、印字処理時に印字対象媒体を支持する。すなわち、リヤユニット１３には、印字ヘッド４６及びプラテン４８を含む印字部が設けられている。当該印字部は、印字対象媒体が印字位置まで引き込まれると、印字処理を開始する。
【００２３】
また、リヤユニット１３において、印字部の後ろ側で且つ処理搬送路４０の上側には、スキャナ５０が設けられている。
【００２４】
［プリンタ装置の動作例］
以上の構成を有するプリンタ装置１０の処理動作の一例について説明する。ここでは、特に、対象媒体（通帳又は帳票）が挿入口１４（共用挿入口）から挿入されて、載置テーブル２２にセットされる場合について説明する。図３は、一実施例の媒体識別装置を含むプリンタ装置の処理動作の一例を示すフローチャートである。図４〜６は、一実施例の媒体識別装置を含むプリンタ装置の処理動作の説明に供する図である。
【００２５】
対象媒体が載置テーブル２２にセットされると、制御部（図示せず）の制御によって、ローラ３２及びローラ３４は、対象媒体の先端を挟み、正回転することにより、対処媒体を「読み取り位置」まで搬送する（ステップＳ１０１）。
【００２６】
対象媒体が「読み取り位置」まで搬送されると、制御部（図示せず）の制御によって、磁気ヘッド３８は、読み取り処理（つまり、走査処理）を実行する（ステップＳ１０２）。すなわち、磁気ヘッド３８は、対象媒体（通帳又は帳票）が「読み取り位置」まで引き込まれると、対象媒体（通帳又は帳票）を下から仕切板１８の下面に押し付けながら「走査予定領域」を移動して、対象媒体を走査する。
【００２７】
ここで、上記の通り、仕切板１８は、ゴム製であるか、それの下面がシボ加工されているか、又は、ゴム製であり且つそれの下面がシボ加工されている。これにより、摩擦係数が大きくされているので、仕切板１８の下面と当該下面に押し付けられる対象媒体との密着度を高くすることができる。すなわち、仕切板１８の下面と対象媒体との間の摩擦力が、対象媒体と磁気ヘッド３８の上面との摩擦力よりも大きくなっている。このため、走査処理時に対象媒体が読み取り位置からずれてしまうことを抑制することができるので、走査処理を安定化させることができる。また、対象媒体のズレを抑制できることから、対象媒体が座屈する可能性を低減でき、結果として、ジャムの発生確率を低減することができる。
【００２８】
また、磁気ヘッド３８は、図４〜６に示すように、対象媒体Ｍの端部を除く中央部を走査開始点（図４の磁気ヘッド３８の位置）とし、走査開始点から対象媒体Ｍの端部に向けて走査（移動）する。具体的には、磁気ヘッド３８は、ローラ３２，３４側（つまり、インサータユニット１２の奥の方（後側））から、挿入口１４側（つまり、前側）に向けて走査する。これにより、先端部がローラ３２とローラ３４との間に挟持され且つ先端部と反対側の後端部がフリーである、対象媒体が張られる方向に、磁気ヘッド３８が移動するので、対象媒体がたるむことを防止でき、走査処理をさらに安定化させることができる。
【００２９】
制御部（図示せず）は、読み取り処理によって得られた情報に基づいて、対象媒体が通帳であるか否かを判定する（ステップＳ１０３）。
【００３０】
対象媒体が通帳である場合（ステップＳ１０３肯定）、制御部（図示せず）は、通帳に対する所定の処理（つまり、「通帳処理」）を実行させる制御を行う（ステップＳ１０４）。例えば、制御部（図示せず）は、ローラ３２，３４、ローラ４２，４４を正回転させて、通帳を印字位置まで搬送して印字処理を行う。
【００３１】
対象媒体が通帳でない場合（ステップＳ１０３否定）、つまり、対象媒体が帳票である場合、制御部（図示せず）は、帳票に対する所定の処理（つまり、「帳票処理」）を実行させる制御を行う（ステップＳ１０５）。例えば、制御部（図示せず）は、ローラ３２，３４、ローラ４２，４４を正回転させて、帳票を印字位置まで搬送して印字処理を行う。
【００３２】
制御部（図示せず）は、ローラ４２，４４、ローラ３２，３４を逆回転させて、対象媒体を挿入口１４へ排出させる（ステップＳ１０６）。
【００３３】
以上のように本実施例によれば、プリンタ装置１０において、磁気ヘッド３８は、対象媒体を仕切板１８の下面に押し当てながら走査して磁気データの読み取り処理を実行する。そして、仕切板１８は、ゴム製であるか、それの下面がシボ加工されているか、又は、ゴム製であり且つそれの下面がシボ加工されている。
【００３４】
このプリンタ装置１０の構成により、仕切板１８の下面の摩擦係数が大きくされているので、仕切板１８の下面と当該下面に押し付けられる対象媒体との密着度を高くすることができる。すなわち、仕切板１８の下面と対象媒体との間の摩擦力が、対象媒体と磁気ヘッド３８の上面との摩擦力よりも大きくなっている。このため、走査処理時に対象媒体が読み取り位置からずれてしまうことを抑制することができるので、走査処理を安定化させることができる。また、対象媒体のズレを抑制できることから、対象媒体が座屈する可能性を低減でき、結果として、ジャムの発生確率を低減することができる。
【００３５】
また、磁気ヘッド３８は、対象媒体の端部を除く中央部を「走査開始点」とし、走査開始点から対象媒体の端部に向けて走査する。具体的には、磁気ヘッド３８は、ローラ３２，３４側（つまり、インサータユニット１２の奥の方（後ろ側））から、挿入口１４側に向けて走査する。
【００３６】
このプリンタ装置１０の構成により、先端部がローラ３２とローラ３４との間に挟持され且つ先端部と反対側の後端部がフリーである、対象媒体が張られる方向に、磁気ヘッド３８が移動するので、対象媒体がたるむことを防止でき、走査処理をさらに安定化させることができる。
【符号の説明】
【００３７】
１０  プリンタ装置
１１  装置筐体
１２  インサータユニット
１３  リヤユニット
１４，２０  挿入口
１６，２２  載置テーブル
１８  仕切板
２４，２６  媒体搬送路
２８，３０，３２，３４，４２，４４  ローラ
３６  磁気読み取りユニット
３８  磁気ヘッド
４０  処理搬送路
４６  印字ヘッド
４８  プラテン
５０  スキャナ
【図１】
2016042398.tif 000003
【図２】
2016042398.tif 000004
【図３】
2016042398.tif 000005
【図４】
2016042398.tif 000006
【図５】
2016042398.tif 000007
【図６】
2016042398.tif 000008